(57)【特許請求の範囲】
【請求項１】
手術中に切開された開創部を開いた状態に保持して術野を確保する開創器であって、
コイルばねを加圧して塑性変形させた帯状体と、
前記帯状体の一端部に設けられ、前記帯状体の他端部又は中間部と連結された状態で、前記帯状体を所要の大きさのループ状に形成する連結具とを備え、
前記開創部に生じる前記開創部を閉じる方向の力を、ループ状にした前記帯状体の外側面で受け止めることを特徴とする開創器。
【請求項２】
前記コイルばねが、線径よりもピッチが大きいものである請求項１記載の開創器。
【請求項３】
前記帯状体が、線径よりもピッチが大きい、一対の左巻きコイルばね及び右巻きコイルばねを重ね合わせたコイルばね重合体を加圧して塑性変形させたものである請求項１記載の開創器。
【請求項４】
手術中に切開された開創部を開いた状態に保持して術野を確保する開創器であって、
平面内に線材を引き回して帯状に形成した繰り返し形状の帯状体と、
前記帯状体の一端部に設けられ、前記帯状体の他端部又は中間部と連結された状態で、前記帯状体を所要の大きさのループ状に形成する連結具とを備え、
前記開創部に生じる前記開創部を閉じる方向の力を、ループ状にした前記帯状体の外側面で受け止めることを特徴とする開創器。
【請求項５】
ループ状にした前記帯状体の外側面に、前記開創部の皮膚を掛止する、周方向に離間した複数の掛止片を設けてなる請求項１〜４の何れか１項に記載の開創器。
【請求項６】
ループ状にした前記帯状体の外側面が、摩擦係数を増大させるように粗面加工されたものである請求項１〜４の何れか１項に記載の開創器。
【発明の詳細な説明】
【技術分野】
【０００１】
本発明は、手術中に切開された開創部を開いた状態に保持して術野を確保する開創器に関する。
【背景技術】
【０００２】
徒手手術において患部に到達する為に切開された開創部には閉じる方向の力が作用するので、患部を手術する際には開創部を開いた状態に保持して術野を確保する必要がある。術野を良好に確保することにより、手術時間の短縮及び安全性の向上、並びに術者（執刀医）の疲労軽減等を図ることができる。
開創部を開いた状態に保持する方法として、先端が鈎状に形成された棒状の医療器具（例えば、非特許文献１参照）を用い、その先端を開創部に掛けた状態で前記医療器具を手術助手が手で引っ張ることが一般的に行われている（以下、「人手による開状態保持」という）。
【０００３】
また、先端を開創部に掛けたリトラクタを支柱から伸びた多関節アームで保持する開創器（例えば、特許文献１及び非特許文献２参照）を用いることや、先端を開創部に掛けたリトラクタを支持リング、アーム及び支柱で保持する開創器（例えば、特許文献２及び非特許文献３参照）を用いることもある（以下、「アーム支持タイプの開創器による開状態保持」という）。
さらに、筒状の可撓性スリーブの両端開口部周縁に体内側環状部材及び体外側環状部材を固定してなる開創器用い、前記可撓性スリーブの外面を開創部に当接させる提案（例えば、特許文献３参照）や、弾性を有する長方形の板状体を、始端と終端が摺動可能な状態で丸めて円筒状に成形してなる開創器を用い、全体が小径の円筒になるように小さく丸め込んだ状態で開創部へ挿入し、手を離して弾性力で拡開して円筒の径が大きくして開創部を広げる提案（例えば、特許文献４参照）がある（以下、「独立タイプの開創器による開状態保持」という）。
【先行技術文献】
【特許文献】
【０００４】
【特許文献１】実開平６−５５６０７号公報
【特許文献２】特開平７−２３９７２７号公報
【特許文献３】特開２０１３−５５９９３号公報
【特許文献４】特表２００７−８２６７４号公報
【非特許文献】
【０００５】
【非特許文献１】「コッペル単鈎／コッペル二爪鈎」のカタログ，株式会社田中医科器械製作所，インターネット＜URL：http://www.e-tanaka.co.jp/products/display_detail/23-18-G_19-G＞
【非特許文献２】「オクトパス万能開創器」のカタログ，ユフ精器株式会社，2012年11月，インターネット＜URL：http://www.yufu.co.jp/pdf/octopus.pdf＞
【非特許文献３】「テーブルマウント式リトラクターシステム」のカタログ，ソルブ株式会社，インターネット＜URL：http://www.solve-net.com/MakerBusiness/Surgical/img_Mediflex/RetractorProducts.pdf＞
【発明の概要】
【発明が解決しようとする課題】
【０００６】
人手による開状態保持では、先端が開創部に掛けられた所要個数の前記医療器具を所要人数の手術助手が手で引っ張って保持する必要があるので、前記医療器具の先端が掛けられた開創部が傷つきやく、手術助手の負担が大きいとともに、手術助手の人件費が掛かるため手術コストが増大する。
【０００７】
また、アーム支持タイプの開創器による開状態保持では、前記医療器具を引っ張って保持する手術助手が不要になるので、人手による開状態保持と比較して人件費を削減できる。
しかしながら、リトラクタの先端を開創部に掛けて引っ張るので、開創部が傷つきやすい。
その上、開創器が比較的大掛かりなものになるので、開創器の製造コストが増大するため、その分の手術コストが増大する。
その上さらに、支柱やアーム等が術者の邪魔になって作業性が低下する場合があるとともに、手術の状況に応じた術野変更をフレキシブルに行うことができない。
【０００８】
さらに、独立タイプの開創器による開状態保持では、前記医療器具を引っ張って保持する手術助手が不要になるので、人手による開状態保持と比較して人件費を削減できるとともに、アームや支柱等が無いため、アーム支持タイプの開創器による開状態保持と比較して、支柱やアーム等が術者の邪魔になって作業性が低下することがない。
しかしながら、手術の状況に応じた術野変更や術野面積の拡大・縮小を行うことができない。
その上、特許文献３の構成の独立タイプの開創器による開状態保持では、可撓性スリーブの外面を開創部に当接させるように装着する作業に手間が掛かる。
その上さらに、特許文献４の構成の独立タイプの開創器による開状態保持では、弾性力で拡開して円筒の径を大きくして開創部を広げるので、所要の開創保持力が得られない場合があり、よって所要の術野を確保できない場合がる。
【０００９】
そこで、本発明が前述の状況に鑑み、解決しようとするところは、手術コストを低減でき、開創部が傷つきにくく、作業性が低下することがなく、所要の術野を容易に確保できるとともに、手術の状況に応じた術野変更や術野面積の拡大・縮小を行うことができる開創器を提供する点にある。
【課題を解決するための手段】
【００１０】
本発明に係る開創器は、前記課題解決のために、手術中に切開された開創部を開いた状態に保持して術野を確保する開創器であって、コイルばねを加圧して塑性変形させた帯状体と、前記帯状体の一端部に設けられ、前記帯状体の他端部又は中間部と連結された状態で、前記帯状体を所要の大きさのループ状に形成する連結具とを備え、前記開創部に生じる前記開創部を閉じる方向の力を、ループ状にした前記帯状体の外側面で受け止めることを特徴とする（請求項１）。
また、本発明に係る開創器は、前記課題解決のために、手術中に切開された開創部を開いた状態に保持して術野を確保する開創器であって、平面内に線材を引き回して帯状に形成した繰り返し形状の帯状体と、前記帯状体の一端部に設けられ、前記帯状体の他端部又は中間部と連結された状態で、前記帯状体を所要の大きさのループ状に形成する連結具とを備え、前記開創部に生じる前記開創部を閉じる方向の力を、ループ状にした前記帯状体の外側面で受け止めることを特徴とする（請求項４）。
【００１１】
これらのような構成によれば、連結具によりループ状にした帯状体の外側面で開創部を閉じる方向の力を受け止めるので、先端が鈎状に形成された棒状の医療器具を引っ張って保持する手術助手が不要になるため、人手による開状態保持と比較して人件費を削減できるとともに、救命救急等において応急手術や緊急手術が必要で一人の医師で手術を行わなければならない場合であっても迅速な対応が可能になる。
その上、前記医療器具の先端やリトラクタの先端を開創部に掛けて引っ張らないため、人手による開状態保持及びアーム支持タイプの開創器による開状態保持と比較して開創部が傷つかない。
その上さらに、邪魔になるアームや支柱等が無いため、アーム支持タイプの開創器による開状態保持と比較して作業性が低下しない。
その上、線材により形成された帯状体を連結具によりループ状に形成する簡素な構成であるので、アーム支持タイプの開創器による開状態保持と比較して開創器の製造コストを低減できる。
【００１２】
その上さらに、連結具により帯状体を所要の大きさのループ状に形成できるので、従来の独立タイプの開創器による開状態保持と比較して、所要の術野を容易に確保できるとともに、手術の状況に応じた術野変更や術野面積の拡大・縮小を容易に行うことができる。
その上、帯状体が線材により形成されたものであるので、従来の独立タイプの開創器による開状態保持と比較して、ループ状にした開創器を円形だけでなく、楕円形、卵形等に変形させて所要の術野を確保できるとともに、帯状体は幅方向へも変形可能であるため、下部の骨、筋肉又は血管等を傷付けないように避けることができる。
【００１３】
その上さらに、請求項１に係る発明の構成によれば、前記帯状体が、コイルばねを加圧して塑性変形させたものであることから、ばね巻き機（コイリングマシン）等により製作が容易なコイルばねを、例えばロール間に通して加圧し、塑性変形させることにより形成されるので、製造コストを低減できる。
その上、請求項１に係る発明の構成によれば、コイルばねを加圧して塑性変形させて帯状体を形成しているので、ループ状の大きさを変えた場合であっても、帯状体の表面（上面及び下面、並びに外側面及び内側面）が滑らかな状態が維持されるため、患者の内臓等を傷付けることがないとともに、術者の手術手袋を破損することもない。
【００１４】
また、前記コイルばねが、線径よりもピッチが大きいものであるのがより好ましいものである（請求項２）。
このような構成によれば、コイル間に隙間が形成されるので、加圧して塑性変形させて帯状体を形成する作業が容易になるとともに、ループ状にした開創器を変形させやすいため、手術の状況に応じた術野変更や、下部の骨、筋肉又は血管等の損傷回避が容易になる。
その上、線材により形成される帯状体の空所率が高くなり、ループ状にした帯状体に比較的大きな隙間が形成されることから、手術の際に術部及びその周辺が見やすいため、作業性を向上できる。
【００１５】
さらに、前記帯状体が、線径よりもピッチが大きい、一対の左巻きコイルばね及び右巻きコイルばねを重ね合わせたコイルばね重合体を加圧して塑性変形させたものであると一層好ましい（請求項３）。
このような構成によれば、一対の左巻きコイルばね及び右巻きコイルばねを重ね合わせたコイルばね重合体を加圧して塑性変形させて帯状体を形成するので、取扱い容易化等のために軽量で剛性が高くない線材を用いた場合であっても、開創部を閉じる方向の力を受け止めて開創部を開いた状態に保持するための所要の剛性確保が容易になる。
その上、一対の左巻きコイルばね及び右巻きコイルばねを用いているので、重ね合わせてコイルばね重合体を形成する作業が容易であるとともに、ばね巻き機（コイリングマシン）等により製作が容易な一対のコイルばねを用いているため、製造コストの上昇を抑制できる。
【００１６】
さらにまた、ループ状にした前記帯状体の外側面に、前記開創部の皮膚を掛止する、周方向に離間した複数の掛止片を設けてなるのがより一層好ましいものである（請求項５）。
このような構成によれば、掛止片により開創部の皮膚が確実に掛止された状態が保持されるので、開創部のずれを防止できる。よって、開創部が不意に動いて手術の妨げとなることや手術器具等が患部でない部位に不意に接触して傷付けることがないとともに、術野を確実に維持した状態で手術を効率的に行うことができる。
【００１７】
また、ループ状にした前記帯状体の外側面が、摩擦係数を増大させるように粗面加工されたものであるのがより一層好ましいものである（請求項６）。
このような構成によれば、帯状体の外側面は粗面加工により摩擦係数が増大しているので、帯状体の外側面に開創部の皮膚が当接した際に滑り止め機能が発揮されて開創部のずれを防止できる。よって、開創部が不意に動いて手術の妨げとなることや手術器具等が患部でない部位に不意に接触して傷付けることがないとともに、術野を確実に維持した状態で手術を効率的に行うことができる。
【発明の効果】
【００１８】
以上のように、本発明に係る開創器によれば、
（１）連結具によりループ状にした帯状体の外側面で開創部を閉じる方向の力を受け止めるので、人件費を削減でき、応急手術等が必要で一人の医師で手術を行わなければならない場合であっても迅速な対応が可能になるとともに、開創部が傷つかないこと、
（２）邪魔になるアームや支柱等が無いため作業性が低下しないこと、
（３）線材により形成された帯状体を連結具によりループ状に形成する簡素な構成であるので、開創器の製造コストを低減できること、
（４）連結具により帯状体を所要の大きさのループ状に形成できるので、所要の術野を容易に確保できるとともに、手術の状況に応じた術野変更や術野面積の拡大・縮小を容易に行うことができること、
（５）帯状体が線材により形成されたものであるので、変形させて所要の術野を確保できるとともに、幅方向へも変形可能であるため、下部の骨、筋肉又は血管等を傷付けないように避けることができること、
（６）線材により形成された帯状体がコイルばねを加圧して塑性変形させたものであると、製造コストを低減できるとともに、ループ状の大きさを変えた場合であっても、帯状体の表面（上面及び下面、並びに外側面及び内側面）が滑らかな状態が維持されるため、患者の内臓等を傷付けることがなく、術者の手術手袋を破損することもないこと、
（７）線径よりもピッチが大きいコイルばねを用いることにより、帯状体を形成する作業が容易になり、ループ状にした開創器を変形させやすいため、手術の状況に応じた術野変更や、下部の骨、筋肉又は血管等の損傷回避が容易になるとともに、ループ状にした帯状体に比較的大きな隙間が形成されることから、手術の際に術部及びその周辺が見やすいため、作業性を向上できること、
（８）線材により形成された帯状体が、線径よりもピッチが大きい、一対の左巻きコイルばね及び右巻きコイルばねを重ね合わせたコイルばね重合体を加圧して塑性変形させたものであると、取扱い容易化等のために軽量で剛性が高くない線材を用いた場合であっても、開創部を閉じる方向の力を受け止めて開創部を開いた状態に保持するための所要の剛性確保が容易になるとともに、製造コストの上昇を抑制できること、
（９）ループ状にした前記帯状体の外側面に、開創部の皮膚を掛止する、周方向に離間した複数の掛止片を設けてなるか、あるいは、前記外側面が、摩擦係数を増大させるように粗面加工されたものであると、開創部のずれを防止できるので、開創部が不意に動いて手術の妨げとなることや手術器具等が患部でない部位に不意に接触して傷付けることがないとともに、術野を確実に維持した状態で手術を効率的に行うことができること、
等の顕著な効果を奏する。
【図面の簡単な説明】
【００１９】
【図１】本発明の実施の形態に係る開創器を連結具によりループ状にした使用状態の一例を示す斜視図である。
【図２】本発明の実施の形態に係る開創器を帯状に伸ばした状態を示す正面図である。
【図３】連結具まわりの要部拡大斜視図である。
【図４】（ａ）は左巻きコイルばね及び右巻きコイルばねの斜視図、（ｂ）はコイルばね重合体の斜視図である。
【図５】コイルばね重合体を一対のロール間に通して塑性変形させて帯状に成形している状態を示す説明図である。
【図６】（ａ）は開創部の皮膚を掛止する掛止具が取り付けられた開創器を示す斜視図、（ｂ）は前記掛止具の斜視図である。
【図７】変形例の開創器を帯状に伸ばした状態を示す正面図である。
【図８】変形例の開創器を帯状に伸ばした状態を示す正面図である。
【発明を実施するための形態】
【００２０】
次に本発明の実施の形態を添付図面に基づき詳細に説明するが、本発明は、添付図面に示された形態に限定されず特許請求の範囲に記載の要件を満たす実施形態の全てを含むものである。
【００２１】
図１の使用状態の一例を示す斜視図、及び図２の帯状に伸ばした状態を示す正面図に示すように、本発明の実施の形態に係る開創器１は、手術中に切開された開創部を開いた状態に保持して術野を確保するものであり、線材により形成された帯状体Ａと、帯状体Ａの一端部に設けられ、帯状体Ａの他端部又は中間部と連結された状態で、帯状体Ａを所要の大きさのループ状に形成する連結具Ｂとを備える。そして、図１のようにループ状にした帯状体Ａの外側面Ｄで、前記開創部に生じる前記開創部を閉じる方向の力を受け止める。
ここで、帯状体Ａを形成する線材は、純チタン、チタン合金、アルミニウム合金、銅合金若しくはステンレス鋼等の金属線、ニッケル・チタン系合金若しくは銅系合金等の超弾性合金の金属線、又はＰＥＴ（ポリエチレンテレフタレート）樹脂、ＰＡ（ポリアミド）樹脂若しくはＰＥＥＫ（ポリエーテルエーテルケトン）樹脂等の合成樹脂線（ガラス繊維又は炭素繊維等の強化繊維を添加したものであってもよい）であり、その断面形状は、本実施の形態のような円形、若しくは多角形である。
また、連結具Ｂは、ステンレス鋼等の金属製、又はＰＥＴ樹脂等の合成樹脂製である。
【００２２】
図３の要部拡大斜視図に示すように、帯状体Ａの一端部に設けられた連結具Ｂは掛止片４を備えているので、掛止片４を帯状体Ａの他端部又は中間部の線材に掛止することにより、帯状体Ａを容易に所要の大きさのループ状の形態にできるとともに、ループ状の大きさの変更も容易である。
なお、連結具Ｂの形状や構成は、図３に示す連結具Ｂに限定されるものではなく、帯状体Ａの一端部と、他端部又は中間部とを連結できるとともに、その連結を解除できるものであればよい。
【００２３】
次に、開創器１の帯状体Ａの製造方法の一例について説明する。
先ず、図４（ａ）の斜視図に示すように、所定の線径ｄ及びピッチｐ、並びに外径及び巻き数の圧縮コイルばねを、ばね巻き機（コイリングマシン）等により成形し、線径ｄよりもピッチｐが大きい（ｄ＜ｐ）一対の左巻きコイルばね２及び右巻きコイルばね３を準備する。
次に、図４（ｂ）の斜視図に示すように、左巻きコイルばね２及び右巻きコイルばね３を重ね合わせる（組み合わせる）ことにより、コイルばね重合体Ｃを製造する。ここで、巻き方向が異なるコイルばね２，３は容易に重ね合わせることができる。
【００２４】
次に、図５の説明図に示すように、コイルばね重合体Ｃを一対のロールＲ１，Ｒ２間に通して塑性変形させることにより、帯状体Ａを製造する。
なお、コイルばね重合体Ｃを塑性変形させて帯状体Ａを製造する工程は、図５のような一対のロールＲ１，Ｒ２を用いずにプレス金型等により行ってもよいが、一対のロールＲ１，Ｒ２を用いることにより製造コストを低減できる。
そして、このように製造された帯状体Ａの一端部に連結具Ｂを取り付けることにより、開創器１が完成する。
【００２５】
このようにして完成された開創器１（図１及び図２参照）に対して、さらに、図６（ａ）及び（ｂ）の斜視図に示すように、ループ状にした帯状体Ａに対して、開創部の皮膚を掛止する掛止具Ｆを、周方向に離間した状態で複数（本実施の形態では３個）設けるようにしてもよい。ここで、掛止具Ｆは、ステンレス鋼等の金属製、又はＰＥＴ樹脂等の合成樹脂製である。
このような構成によれば、ループ状にした帯状体Ａの外側面Ｄに、周方向に離間した複数の掛止具Ｆの径方向外方へ突出する掛止片５が設けられているので、掛止片５により開創部の皮膚が確実に掛止された状態が保持されるため、開創部のずれを防止できる。よって、開創部が不意に動いて手術の妨げとなることや手術器具等が患部でない部位に不意に接触して傷付けることがないとともに、術野を確実に維持した状態で手術を効率的に行うことができる。
【００２６】
あるいは、図６（ａ）のような掛止具Ｆを設けることなく、図１のような開創器１において、ループ状にした帯状体Ａの外側面Ｄを、投射材と呼ばれる粒体を衝突させるショットブラスト等で粗面加工することにより、外側面Ｄの摩擦係数を増大させてもよい。
このような構成によっても、開創部のずれを防止できるので、開創部が不意に動いて手術の妨げとなることや手術器具等が患部でない部位に不意に接触して傷付けることがないとともに、術野を確実に維持した状態で手術を効率的に行うことができる。
【００２７】
以上の説明においては、コイルばね２，３のコイル形状が円形である場合を示したが、コイル形状を円形ではなく楕円形等にしてもよい。
また、以上の説明においては、開創器１を構成する帯状体Ａが一対の左巻きコイルばね２及び右巻きコイルばね３から製造される場合を示したが、左巻きコイルばね及び右巻きコイルばねのどちらか一方を加圧して塑性変形させて製造した、図７の正面図に示すような帯状体Ａであってもよい。
さらに、開創器１を構成する帯状体Ａを、コイルばねを加圧して塑性変形させて帯状にすることなく、平面内に線材を引き回して帯状に形成した図８の正面図に示すような繰り返し形状の帯状体Ａであってもよい。
【００２８】
以上のような構成の開創器１によれば、連結具Ｂによりループ状にした帯状体Ａの外側面Ｄで開創部を閉じる方向の力を受け止めるので、先端が鈎状に形成された棒状の医療器具を引っ張って保持する手術助手が不要になるため、人手による開状態保持と比較して人件費を削減できるとともに、救命救急等において応急手術や緊急手術が必要で一人の医師で手術を行わなければならない場合であっても迅速な対応が可能になる。
また、前記医療器具の先端やリトラクタの先端を開創部に掛けて引っ張らないため、人手による開状態保持及びアーム支持タイプの開創器による開状態保持と比較して開創部が傷つかない。
さらに、邪魔になるアームや支柱等が無いため、アーム支持タイプの開創器による開状態保持と比較して作業性が低下しない。
さらにまた、線材により形成された帯状体Ａを連結具Ｂによりループ状に形成する簡素な構成であるので、アーム支持タイプの開創器による開状態保持と比較して開創器１の製造コストを低減できる。
また、連結具Ｂにより帯状体Ａを所要の大きさのループ状に形成できるので、従来の独立タイプの開創器による開状態保持と比較して、所要の術野を容易に確保できるとともに、手術の状況に応じた術野変更や術野面積の拡大・縮小を容易に行うことができる。
【００２９】
さらに、帯状体Ａが線材により形成されたものであるので、従来の独立タイプの開創器による開状態保持と比較して、ループ状にした開創器１を円形だけでなく、楕円形、卵形等に変形させて所要の術野を確保できるとともに、帯状体Ａは幅方向へも変形可能であるため、下部の骨、筋肉又は血管等を傷付けないように避けることができる。
さらにまた、帯状体Ａがコイルばねを加圧して塑性変形させたものである場合は、線材により形成された帯状体Ａが、ばね巻き機（コイリングマシン）等により製作が容易なコイルばねを、例えばロール間に通して加圧し、塑性変形させることにより形成されるので、製造コストを低減できる。
また、コイルばねを加圧して塑性変形させて帯状体Ａを形成することにより、ループ状の大きさを変えた場合であっても、帯状体Ａの表面（上面及び下面、並びに外側面及び内側面）が滑らかな状態が維持されるため、患者の内臓等を傷付けることがないとともに、術者の手術手袋を破損することもない。
【００３０】
さらに、前記コイルばねが、線径ｄよりもピッチｐが大きいものであると、コイル間に隙間が形成されるので、加圧して塑性変形させて帯状体を形成する作業が容易になるとともに、ループ状にした開創器１を変形させやすいため、手術の状況に応じた術野変更や、下部の骨、筋肉又は血管等の損傷回避が容易になる。その上、線材により形成される帯状体Ａの空所率が高くなり、ループ状にした帯状体Ａに比較的大きな隙間Ｅ（図１参照）が形成されることから、手術の際に術部及びその周辺が見やすいため、作業性を向上できる。
さらにまた、帯状体Ａが、線径ｄよりもピッチｐが大きい、一対の左巻きコイルばね２及び右巻きコイルばね３を重ね合わせたコイルばね重合体Ｃを加圧して塑性変形させたものであると、取扱い容易化等のために軽量で剛性が高くない線材（例えば、アルミニウム合金製の線材）を用いた場合であっても、開創部を閉じる方向の力を受け止めて開創部を開いた状態に保持するための所要の剛性確保が容易になる。
また、一対の左巻きコイルばね２及び右巻きコイルばね３を用いているので、重ね合わせてコイルばね重合体Ｃを形成する作業が容易であるとともに、ばね巻き機（コイリングマシン）等により製作が容易な一対のコイルばね２，３を用いているため、製造コストの上昇を抑制できる。
【符号の説明】
【００３１】
１  開創器
２  左巻きコイルばね
３  右巻きコイルばね
４，５  掛止片
Ａ  帯状体
Ｂ  連結具
Ｃ  コイルばね重合体
Ｄ  ループ状にした帯状体の外側面
ｄ  線径
Ｅ  隙間
Ｆ  掛止具
ｐ  ピッチ
Ｒ１，Ｒ２  ロール
【図１】
0006292141.tif 000002
【図２】
0006292141.tif 000003
【図３】
0006292141.tif 000004
【図４】
0006292141.tif 000005
【図５】
0006292141.tif 000006
【図６】
0006292141.tif 000007
【図７】
0006292141.tif 000008
【図８】
0006292141.tif 000009